(57)【特許請求の範囲】
【請求項１】
無線通信機器の識別情報である無線通信機器識別情報を、同無線通信機器の設置位置に関する情報である設置位置情報と関連付けて記録可能な無線通信機器識別情報記録部と、
前記無線通信機器から所定の範囲内に位置する携帯端末が受信した前記無線通信機器識別情報と、同携帯端末の識別情報である携帯端末識別情報とを、同携帯端末から受信可能な識別情報受信部と、
前記携帯端末の位置が前記範囲外から同範囲内に変化したときの日時である入日時を、同携帯端末から受信可能な日時受信部と、
前記無線通信機器識別情報記録部が記録した無線通信機器識別情報を有する無線通信機器の設置位置への前記携帯端末の携帯者の移動予定を、同携帯端末の携帯端末識別情報と関連付けて記録可能な移動予定記録部と、
前記識別情報受信部が受信した無線通信機器識別情報と、前記無線通信機器識別情報記録部が記録した無線通信機器識別情報とを照合可能であり、かつ、同識別情報受信部が受信した携帯端末識別情報と、前記移動予定記録部が記録した携帯端末識別情報とを照合可能であり、さらに、前記日時受信部が受信した入日時と、前記移動予定記録部が記録した移動予定に含まれる入日時とを照合可能な照合部と、
該照合部が照合して両方の無線通信機器識別情報が一致し、かつ、両方の携帯端末識別情報が一致し、さらに、両方の入日時が一致した場合に、前記移動予定記録部が記録した移動予定が実行されたことを記録可能な実績記録部とを有するサーバを備える
行動管理システム。
【請求項２】
前記サーバは、前記照合部が照合して両方の入日時が不一致である場合か、または、前記照合部が照合して両方の無線通信機器識別情報が不一致である場合に、移動予定と異なることを前記携帯端末に通知可能な通知部を有する
請求項１に記載の行動管理システム。
【請求項３】
前記日時受信部は、前記携帯端末の位置が前記範囲内から同範囲外に変化したときの日時である出日時を、同携帯端末から受信可能である
請求項１または請求項２に記載の行動管理システム。
【請求項４】
前記サーバは、前記照合部が照合して両方の無線通信機器識別情報が一致し、かつ、両方の携帯端末識別情報が一致し、さらに、両方の入日時が一致した場合に、基点から、一致した無線通信機器識別情報を有する無線通信機器の設置位置までの距離を算出可能な距離算出部と、
該距離算出部が算出した距離に基づいて料金を算出可能な料金算出部とを有する
請求項１、請求項２または請求項３に記載の行動管理システム。
【請求項５】
前記サーバは、前記携帯端末の携帯者に関する情報である携帯者情報を記録可能な携帯者情報記録部と、
前記識別情報受信部が前記無線通信機器識別情報と前記携帯端末識別情報とを前記携帯端末から受信した場合に、前記携帯者情報記録部が記録した、同携帯端末の携帯者情報を出力可能な携帯者情報出力部とを有する
請求項１、請求項２、請求項３または請求項４に記載の行動管理システム。
【請求項６】
前記サーバは、前記照合部が照合して両方の無線通信機器識別情報が一致し、かつ、両方の携帯端末識別情報が一致し、さらに、両方の入日時が一致した場合に、前記無線通信機器識別情報記録部が記録した設置位置情報に含まれる無線通信機器の設置者の情報を、一致した携帯端末識別情報を有する携帯端末に送信可能な無線通信機器設置者情報送信部を有する
請求項１、請求項２、請求項３、請求項４または請求項５に記載の行動管理システム。
【発明の詳細な説明】
【技術分野】
【０００１】
本発明は行動管理システムに関する。詳しくは、例えば、患者の自宅を訪問して医療行為を行なう者の行動を管理するための行動管理システムに係るものである。
【背景技術】
【０００２】
公共交通機関に乏しい地域に住む患者、特に高齢者にとって、通院することは大きな負担である。
また、公共交通機関が発達した地域に住む高齢者であっても、「住み慣れた自宅で療養したい」と思う人も存在する。
【０００３】
そこで、外来および入院に次いで「第三の医療」として捉えられている「在宅医療」が行なわれている。
在宅医療とは、文字通り在宅で行なう医療のことであり、医療従事者が患者の自宅もしくは老人施設などを訪問して医療を行なうことである。
【０００４】
このような状況の中、通信技術を利用して在宅医療を支援するシステムが提案されている。
例えば特許文献１には、在宅医療患者に利用され、ネットワークに接続された第１の端末と、在宅医療患者に利用され、第１の端末もしくはネットワークに接続された在宅医療機器と、在宅医療患者以外の他者に利用され、ネットワークに接続された第２の端末と、ネットワークを介して第１の端末、在宅医療機器および第２の端末に接続され、在宅医療患者と他者がアクセス可能なネットワーク上の仮想空間と仮想空間内で操作可能な人モデルと仮想空間内で操作可能な医療機器モデルとを提供するサーバ装置とを備える在宅支援システムが記載されている。
【先行技術文献】
【特許文献】
【０００５】
【特許文献１】特開２００９−０２０７９４号公報
【発明の概要】
【発明が解決しようとする課題】
【０００６】
ところで、日本国において在宅医療は保険の適用対象であるので、医療機関や、医療関連機関例えば施術所は、患者が受けた診療について保険者に医療報酬を請求する。
なお、鍼灸施術、またはあん摩マッサージ指圧施術を受けた患者は、その患者が保険者に療養費を請求するのが原則であるが、施術所に請求を委任しているのが現状である。
【０００７】
また、医療機関や施術所は、医療従事者が実際に患者の自宅もしくは老人施設を訪問したか否かを、医療従事者からの申告によって管理しているのが現状である。
【０００８】
こうした状況であるため、実際は患者の自宅もしくは老人施設を訪問していないにもかかわらず、訪問したという虚偽の申告が行なわれ、その結果、保険者に対する不正請求に繋がるという問題がある。
また、特許文献１は、このような問題について何ら言及していない。
【０００９】
そこで、患者に専用のカードを所持させ、このカードに記録された情報を読取装置で読取って携帯端末から医療機関の装置もしくは施術所の装置へ送信して、実際の訪問の有無を確認する方法が考えられる。
しかし、この方法では、医療従事者が患者からカードを預かってしまうと、自由に訪問実績を作り上げてしまうことができてしまい、問題の解決には至らない。
【００１０】
また、医療従事者が携帯する携帯端末のＧＰＳ（Ｇｌｏｂａｌ  Ｐｏｓｉｔｉｏｎｉｎｇ  Ｓｙｓｔｅｍ＝全地球測位網）機能を利用して、医療従事者の位置を特定し、医療従事者が実際に訪問したか否かを確認することも考えられる。
【００１１】
しかし、ＧＰＳ機能を利用した位置の特定は曖昧であるので、ある患者の自宅と別の患者の自宅とが近かったり、一つのマンション内に多くの患者が住んでいたりする場合には、その中で目的とする患者を訪れたか否かを正確に確認することができない。
【００１２】
本発明は、以上の点に鑑みて創案されたものであり、精度よく携帯端末の携帯者の行動を管理することができる行動管理システムを提供することを目的とする。
【課題を解決するための手段】
【００１３】
上記の目的を達成するために、本発明の行動管理システムは、無線通信機器の識別情報である無線通信機器識別情報を、同無線通信機器の設置位置に関する情報である設置位置情報と関連付けて記録可能な無線通信機器識別情報記録部と、前記無線通信機器から所定の範囲内に位置する携帯端末が受信した前記無線通信機器識別情報と、同携帯端末の識別情報である携帯端末識別情報とを、同携帯端末から受信可能な識別情報受信部と、前記携帯端末の位置が前記範囲外から同範囲内に変化したときの日時である入日時を、同携帯端末から受信可能な日時受信部と、前記無線通信機器識別情報記録部が記録した無線通信機器識別情報を有する無線通信機器の設置位置への前記携帯端末の携帯者の移動予定を、同携帯端末の携帯端末識別情報と関連付けて記録可能な移動予定記録部と、前記識別情報受信部が受信した無線通信機器識別情報と、前記無線通信機器識別情報記録部が記録した無線通信機器識別情報とを照合可能であり、かつ、同識別情報受信部が受信した携帯端末識別情報と、前記移動予定記録部が記録した携帯端末識別情報とを照合可能であり、さらに、前記日時受信部が受信した入日時と、前記移動予定記録部が記録した移動予定に含まれる入日時とを照合可能な照合部と、該照合部が照合して両方の無線通信機器識別情報が一致し、かつ、両方の携帯端末識別情報が一致し、さらに、両方の入日時が一致した場合に、前記移動予定記録部が記録した移動予定が実行されたことを記録可能な実績記録部とを有するサーバを備える。
【００１４】
ここで、無線通信機器識別情報記録部が記録した無線通信機器識別情報を有する無線通信機器の設置位置への前記携帯端末の携帯者の移動予定を、この携帯端末の携帯端末識別情報と関連付けて記録可能な移動予定記録部によって、携帯端末の携帯者の移動予定を把握することができる。
【００１５】
また、識別情報受信部が受信した無線通信機器識別情報と、無線通信機器識別情報記録部が記録した無線通信機器識別情報とを照合可能であり、かつ、識別情報受信部が受信した携帯端末識別情報と、移動予定記録部が記録した携帯端末識別情報とを照合可能であり、さらに、日時受信部が受信した入日時と、移動予定記録部が記録した移動予定に含まれる入日時とを照合可能な照合部によって、移動予定記録部が記録した移動予定に従って、携帯端末の携帯者が行動したか否かを確認できる。
【００１６】
さらに、本発明の行動管理システムにおいて、サーバは、照合部が照合して両方の入日時が不一致である場合か、または、照合部が照合して両方の無線通信機器識別情報が不一致である場合に、移動予定と異なることを携帯端末に通知可能な通知部を有するものとすることができる。
【００１７】
この場合、携帯端末の携帯者は、自分の行動が予定と異なることを直ちに知ることができる。
【００１８】
また、本発明の行動管理システムにおいて、日時受信部は、携帯端末の位置が無線通信機器から所定の範囲内から所定の範囲外に変化したときの日時である出日時を、携帯端末から受信可能であるものとすることができる。
【００１９】
この場合、携帯端末の携帯者が、無線通信機器から所定の範囲内に入ったときの日時や出たときの日時を知ることができると共に、携帯端末の携帯者が、無線通信機器から所定の範囲内に滞在した時間を知ることができる。
【００２０】
また、本発明の行動管理システムにおいて、サーバは、照合部が照合して両方の無線通信機器識別情報が一致し、かつ、両方の携帯端末識別情報が一致し、さらに、両方の入日時が一致した場合に、基点から、一致した無線通信機器識別情報を有する無線通信機器の設置位置までの距離を算出可能な距離算出部と、距離算出部が算出した距離に基づいて料金を算出可能な料金算出部とを有するものとすることができる。
【００２１】
この場合、基点から、実際に携帯端末の携帯者が訪問した無線通信機器の設置位置までの距離に基づく料金を算出することができる。
【００２２】
また、本発明の行動管理システムにおいて、サーバは、携帯端末の携帯者に関する情報である携帯者情報を記録可能な携帯者情報記録部と、識別情報受信部が無線通信機器識別情報と携帯端末識別情報とを携帯端末から受信した場合に、携帯者情報記録部が記録した、その携帯端末の携帯者情報を出力可能な携帯者情報出力部とを有するものとすることができる。
【００２３】
この場合、携帯端末の携帯者のための情報を、携帯者が無線通信機器の近辺に来る前に準備することができる。
【００２４】
また、本発明の行動管理システムにおいて、サーバは、照合部が照合して両方の無線通信機器識別情報が一致し、かつ、両方の携帯端末識別情報が一致し、さらに、両方の入日時が一致した場合に、無線通信機器識別情報記録部が記録した設置位置情報に含まれる無線通信機器の設置者の情報を、一致した携帯端末識別情報を有する携帯端末に送信可能な無線通信機器設置者情報送信部を有するものとすることができる。
【００２５】
この場合、携帯端末の携帯者は、無線通信機器の設置位置において無線通信機器の設置者と会いながら、設置者の情報を見ることができる。
【発明の効果】
【００２６】
本発明に係る行動管理システムは、精度よく携帯端末の携帯者の行動を管理することができる。
【図面の簡単な説明】
【００２７】
【図１】本発明を適用した行動管理システムの第１の実施形態を示す概略図である。
【図２】本発明を適用した行動管理システムの第２の実施形態を示す概略図である。
【発明を実施するための形態】
【００２８】
以下、本発明の実施の形態について図面を参照しながら説明し、本発明の理解に供する。
図１は、本発明を適用した行動管理システムの第１の実施形態を示す概略図である。
【００２９】
図１に示す本発明の行動管理システム１は、サーバ２と、患者宅５に設置されたビーコン３と、あん摩、マッサージまたは指圧を行なう施術者２０が携帯するスマートフォン４とを備える。
ここで、ビーコンは無線通信機器の一例である。また、スマートフォンは携帯端末の一例である。
【００３０】
また、サーバ２は、ビーコン３の識別情報であるＩＤを、ビーコン３の設置位置に関する情報である設置位置情報と関連付けて記録可能なビーコン識別情報データベース６を有する。
【００３１】
ここで、ビーコン識別情報データベースは無線通信機器識別情報記録部の一例である。
また、ビーコン３の設置位置情報とは、例えば患者宅５の住所、患者の氏名、患者の年齢、患者の治療経過である。
【００３２】
また、サーバ２は、ビーコン３から所定の範囲内に位置するスマートフォン４が受信したビーコン３のＩＤと、スマートフォン４の識別情報である個体識別番号とを、インターネット１６を介してスマートフォン４から受信可能な識別情報受信部７を有する。
ここで、ビーコン３から所定の範囲とは、例えばビーコン３から半径約２ｍの範囲である。
【００３３】
また、サーバ２は、スマートフォン４の位置が、ビーコン３から半径約２ｍの範囲外からビーコン３から半径約２ｍの範囲内に変化したときの日時である入日時と、スマートフォン４の位置がビーコン３から半径約２ｍの範囲内からビーコン３から半径約２ｍの範囲外に変化したときの日時である出日時とを、スマートフォン４からインターネット１６を介して受信可能な日時受信部８を有する。
【００３４】
また、サーバ２は、ビーコン識別情報データベース６が記録したＩＤを有するビーコン３の設置位置への施術者２０の移動予定すなわち患者宅５への訪問予定を、スマートフォン４の個体識別番号と関連付けて記録可能な移動予定データベース９を有する。
【００３５】
ここで、移動予定データベースは移動予定記録部の一例である。
また、移動予定に含まれる情報は、例えば施術者２０の氏名、施術者２０が携帯するスマートフォン４の電話番号およびメールアドレス、施術者２０が患者宅５を訪問する年月日、施術者２０が患者宅５を訪れる時刻、施術者２０が患者宅５を出る時刻である。
【００３６】
また、サーバ２は、識別情報受信部７が受信したビーコン３のＩＤと、ビーコン識別情報データベース６が記録したビーコン３のＩＤとを照合可能な照合部１０を有する。
【００３７】
また、照合部１０は、識別情報受信部７が受信したスマートフォン４の個体識別番号と、移動予定データベース９が記録したスマートフォン４の個体識別番号とを照合可能である。
【００３８】
さらに、照合部１０は、日時受信部８が受信した入日時と、移動予定データベース９が記録した移動予定に含まれる入日時、すなわち施術者２０が患者宅５を訪問する年月日および施術者２０が患者宅５を訪れる時刻とを照合可能である。
【００３９】
また、サーバ２は、照合部１０が照合して両方のビーコン３のＩＤが一致し、かつ、両方のスマートフォン４の個体識別番号が一致し、さらに、両方の入日時が一致した場合に、移動予定データベース９が記録した、一致した個体識別番号を有するスマートフォン４を携帯する施術者２０についての移動予定が実行されたことを記録可能な実績データベース１１を有する。
ここで、実績データベースは実績記録部の一例である。
【００４０】
また、サーバ２は、照合部１０が照合して両方の入日時が不一致である場合か、または、照合部１０が照合して両方のビーコンのＩＤが不一致である場合に、施術者の移動予定と異なることを、その施術者のスマートフォンに電子メールで通知可能な通知部１２を有する。
【００４１】
また、サーバ２は、照合部１０が照合して両方のビーコンのＩＤが一致し、かつ、両方のスマートフォンの個体識別番号が一致し、さらに、両方の入日時が一致した場合に、基点である治療院から、一致したＩＤを有するビーコン３の設置位置までの距離を算出可能な距離算出部１３を有する。
【００４２】
また、サーバ２は、距離算出部１３が算出した距離に基づいて料金すなわち往療費を算出可能な料金算出部１４を有する。
【００４３】
また、サーバ２は、照合部１０が照合して両方のビーコンのＩＤが一致し、かつ、両方のスマートフォンの個体識別番号が一致し、さらに、両方の入日時が一致した場合に、ビーコン識別情報データベース６が記録した設置値情報に含まれる、ビーコン３の設置者である患者の情報を、一致した個体識別番号を有するスマートフォン４にインターネット１６を介して送信可能な患者情報送信部１５を有する。
患者情報送信部は無線通信機器設置者情報送信部の一例である。
【００４４】
図２は、本発明を適用した行動管理システムの第２の実施形態を示す概略図である。
図２に示す本発明の行動管理システム１は、サーバ２と、病院１９に設置されたビーコン３と、病院１９に通院している患者２１が携帯するスマートフォン４とを備える。
ここで、ビーコンは無線通信機器の一例である。また、スマートフォンは携帯端末の一例である。
【００４５】
また、サーバ２は、ビーコン３の識別情報であるＩＤを、ビーコン３の設置位置情報と関連付けて記録可能なビーコン識別情報データベース６を有する。
【００４６】
ここで、ビーコン識別情報データベースは無線通信機器識別情報記録部の一例である。
また、ビーコン３の設置位置情報とは、例えば病院１９の住所、病院名である。
【００４７】
また、サーバ２は、ビーコン３から所定の範囲内に位置するスマートフォン４が受信したビーコン３のＩＤと、スマートフォン４の識別情報である個体識別番号とを、インターネット１６を介してスマートフォン４から受信可能な識別情報受信部７を有する。
ここで、ビーコン３から所定の範囲とは、例えばビーコン３から半径約４０ｍの範囲である。
【００４８】
また、サーバ２は、スマートフォン４の位置が、ビーコン３から半径約４０ｍの範囲外からビーコン３から半径約４０ｍの範囲内に変化したときの日時である入日時と、スマートフォン４の位置がビーコン３から半径約４０ｍの範囲内からビーコン３から半径約４０ｍの範囲外に変化したときの日時である出日時とを、スマートフォン４からインターネット１６を介して受信可能な日時受信部８を有する。
【００４９】
また、サーバ２は、ビーコン識別情報データベース６が記録したＩＤを有するビーコン３の設置位置への患者２１の移動予定すなわち病院１９への外来予定を、スマートフォン４の個体識別番号と関連付けて記録可能な移動予定データベース９を有する。
【００５０】
ここで、移動予定データベースは移動予定記録部の一例である。
また、移動予定に含まれる情報は、例えば患者２１の氏名、患者２１が携帯するスマートフォン４の電話番号およびメールアドレス、患者２１が外来のために病院１９を訪れる年月日、患者２１が病院１９を訪れる時刻、患者２１が病院１９から出る時刻である。
【００５１】
また、サーバ２は、識別情報受信部７が受信したビーコン３のＩＤと、ビーコン識別情報データベース６が記録したビーコン３のＩＤとを照合可能な照合部１０を有する。
【００５２】
また、照合部１０は、識別情報受信部７が受信したスマートフォン４の個体識別番号と、移動予定データベース９が記録したスマートフォン４の個体識別番号とを照合可能である。
【００５３】
さらに、照合部１０は、日時受信部８が受信した入日時と、移動予定データベース９が記録した移動予定に含まれる入日時、すなわち患者２１が外来のために病院１９を訪れる年月日および患者２１が病院１９を訪れる時刻とを照合可能である。
【００５４】
また、サーバ２は、照合部１０が照合して両方のビーコン３のＩＤが一致し、かつ、両方のスマートフォン４の個体識別番号が一致し、さらに、両方の入日時が一致した場合に、移動予定データベース９が記録した、一致した個体識別番号を有するスマートフォン４を携帯する患者２１についての移動予定が実行されたことを記録可能な実績データベース１１を有する。
ここで、実績データベースは実績記録部の一例である。
【００５５】
また、サーバ２は、照合部１０が照合して両方の入日時が不一致である場合か、または、照合部１０が照合して両方のビーコンのＩＤが不一致である場合に、患者２１の移動予定と異なることを、その患者２１のスマートフォン４に電子メールで通知可能な通知部１２を有する。
【００５６】
また、サーバ２は、スマートフォン４の携帯者に関する情報である携帯者情報を記録可能な携帯者情報データベース１７を有する。図２に示す例では、携帯者は患者２１である。
ここで、携帯者情報データベースは携帯者情報記録部の一例である。
【００５７】
また、携帯者情報は例えば、患者２１の氏名と治療情報などを含む患者２１のカルテ情報、患者２１が携帯するスマートフォン４の電話番号およびメールアドレスである。
【００５８】
また、サーバ２は、識別情報受信部７が、スマートフォン４から送信された、ビーコン３のＩＤとスマートフォン４の個体識別番号とを受信すると、携帯者情報データベース１７が記録した、これら情報を送信したスマートフォン４の携帯者すなわち患者２１の情報例えばカルテ情報を出力可能な携帯者情報出力部１８を有する。
【００５９】
ここで、サーバは必ずしも通知部を有していなくてもよい。
しかし、サーバが通知部を有していれば、携帯端末の携帯者は、自分の行動が予定と異なることを直ちに知ることができるので好ましい。
【００６０】
また、サーバの日時受信部は必ずしも出日時をも受信可能でなくてもよい。
しかし、サーバの日時受信部が、入日時に加えて出日時をも受信可能であれば、携帯端末の携帯者が、無線通信機器から所定の範囲内に入ったときの日時や出たときの日時を知ることができると共に、携帯端末の携帯者が、無線通信機器から所定の範囲内に滞在した時間を知ることができるので好ましい。
【００６１】
また、サーバは必ずしも距離算出部と料金算出部を有していなくてもよい。
しかし、サーバが距離算出部と料金算出部を有していれば、基点から、実際に携帯端末の携帯者が訪問した無線通信機器の設置位置までの距離に基づく料金を算出することができ、特に往療費を算出しやすくなるので好ましい。
【００６２】
また、サーバは必ずしも携帯者情報記録部と携帯者情報出力部とを有していなくてもよい。
しかし、サーバが携帯者情報記録部と携帯者情報出力部とを有していれば、携帯端末の携帯者のための情報を、携帯者が無線通信機器の近辺に来る前に準備することができるので好ましい。
【００６３】
また、サーバは必ずしも無線通信機器設置者情報送信部を有していなくてもよい。
しかし、サーバが無線通信機器設置者情報送信部を有していれば、携帯端末の携帯者は、無線通信機器の設置位置において無線通信機器の設置者と会いながら、設置者の情報を見ることができるので好ましい。
【００６４】
次に、図１を参照して、本発明の行動管理システムを利用したときの流れの一例を説明する。
【００６５】
治療院の事務員が、患者に配布したビーコン３のＩＤを、ビーコン３の設置位置情報すなわち患者宅５の住所、患者の氏名、患者の年齢、患者の治療経過などと関連付けてサーバ２に入力する。
【００６６】
すると、ビーコン識別情報データベース６は、ビーコン３のＩＤを、ビーコン３の設置位置情報と関連付けて記録する。
【００６７】
また、治療院の事務員が、患者宅５への施術者２０の移動予定すなわち訪問予定を、治療院に所属する施術者２０が携帯するスマートフォン４の個体識別番号と関連付けてサーバ２に入力する。
【００６８】
このとき、治療院の管理者は、施術者２０の氏名、施術者２０が携帯するスマートフォン４の電話番号およびメールアドレスも一緒に、サーバ２に入力する。
【００６９】
また、治療院の管理者が、移動予定に含まれる情報として、施術者２０が患者宅５を訪問する年月日と、施術者２０が患者宅５を訪れる時刻と、施術者２０が患者宅５を出る時刻とをサーバ２に入力する。
【００７０】
なお、複数の施術者が治療院に所属しており、患者も複数いれば、施術者ごとに各患者宅を訪問する年月日と、患者宅を訪れる時刻と、患者宅を出る時刻とをサーバ２に入力することは勿論である。
【００７１】
そして、移動予定データベース９は、スマートフォン４の個体識別番号を、患者宅５への施術者２０の移動予定と関連付けて記録する。
【００７２】
また、移動予定データベース９は、移動予定に含まれる情報として、施術者２０が患者宅５を訪問する年月日と、施術者２０が患者宅５を訪れる時刻と、施術者２０が患者宅５を出る時刻を記録する。
【００７３】
また、移動予定データベース９は、施術者２０の移動予定に含まれる情報として、施術者２０の氏名、施術者２０が携帯するスマートフォン４の電話番号およびメールアドレスも記録する。
【００７４】
一方、スマートフォン４を携帯する施術者２０は、移動予定データベース９が記録した自分の移動予定に従い、患者宅５を訪問する。
【００７５】
なお、ビーコン３からの所定の範囲を、ビーコン３から半径約２ｍの範囲であるように、スマートフォン４を使って施術者２０が予め設定しておく。
また、施術者２０は、このような設定をするための専用のアプリケーションプログラムをスマートフォン４に予めインストールしておく。
【００７６】
そして、施術者２０が患者宅５を訪問して、ビーコン３から半径約２ｍの範囲内に位置する、すなわち、施術者２０が携帯するスマートフォン４がビーコン３から半径約２ｍの範囲に位置する。
【００７７】
すると、スマートフォン４がビーコン３のＩＤを受信し、スマートフォン４は、受信したビーコン３のＩＤとスマートフォン４の個体識別番号とをサーバ２へ、インターネット１６を介して送信する。
【００７８】
また、施術者２０が、ビーコン３から半径約２ｍの範囲外から半径約２ｍの範囲内に入ったとき、すなわちスマートフォン４の位置が、ビーコン３から半径約２ｍの範囲外から半径約２ｍの範囲内に変化したときの日時である入日時を、スマートフォン４は、インターネット１６を介してサーバ２へ送信する。
【００７９】
一方、サーバ２の識別情報受信部７は、スマートフォン４から送信された、ビーコン３のＩＤとスマートフォン４の個体識別番号とを受信する。
また、サーバ２の日時受信部８は、スマートフォン４から送信された、施術者２０の入日時を受信する。
【００８０】
次に、サーバ２の照合部１０は、識別情報受信部７が受信したビーコン３のＩＤと、ビーコン識別情報データベース６が記録したビーコン３のＩＤとを照合する。
【００８１】
このとき、サーバ２の照合部１０は、識別情報受信部７が受信したスマートフォン４の個体識別番号と、移動予定データベース９が記録したスマートフォン４の個体識別番号とを照合する。
【００８２】
また、このとき、サーバ２の照合部１０は、日時受信部８が受信した入日時と、移動予定データベース９が記録した移動予定に含まれる入日時とを照合する。
【００８３】
そして、サーバ２の実績データベース１１は、サーバ２の照合部１０が照合して両方のビーコン３のＩＤが一致し、かつ、両方のスマートフォン４の個体識別番号が一致し、さらに、両方の入日時が一致した場合に、移動予定データベース９が記録した、一致した個体識別番号を有するスマートフォン４を携帯する施術者２０についての移動予定が実行されたことを記録する。
【００８４】
従って、治療院の経営者は、治療院に所属する施術者が予定どおり患者宅を訪問したことを確認できる。
【００８５】
また、患者宅５における施術が終わり、施術者２０が、ビーコン３から半径約２ｍの範囲内から半径約２ｍの範囲外に出たとき、すなわちスマートフォン４の位置が、ビーコン３から半径約２ｍの範囲内から半径約２ｍの範囲外に変化したときの日時である出日時を、スマートフォン４は、インターネット１６を介してサーバ２へ送信する。
【００８６】
また、サーバ２の日時受信部８は、スマートフォン４から送信された、施術者２０の出日時を受信する。
【００８７】
なお、出日時の一致については、そのときの施術の状況などにも依存するので、移動予定の実行を記録するための条件に必ずしもしなくてもよいが、出日時の一致も移動予定の実行を記録するための条件としてもよいことは勿論である。
【００８８】
また、サーバ２の通知部１２は、照合部１０が照合して両方の入日時が不一致である場合か、または、照合部１０が照合して両方のビーコン３のＩＤが不一致である場合に、施術者２０の移動予定と異なることを、その施術者２０のスマートフォン４に電子メールで通知する。
【００８９】
また、施術者２０が移動予定どおり患者宅５を訪問する、すなわちサーバ２の照合部１０が照合して両方のビーコンのＩＤが一致し、かつ、両方のスマートフォンの個体識別番号が一致し、さらに、両方の入日時が一致する。
【００９０】
すると、サーバ２の患者情報送信部１５は、ビーコン識別情報データベース６が記録した設置位置情報に含まれる、ビーコン３の設置者の情報すなわち患者の氏名、患者の年齢、患者の治療経過などを、一致した個体識別番号を有するスマートフォン４に送信する。
【００９１】
また、サーバ２の距離算出部１３は、照合部１０が照合して両方のビーコン３のＩＤが一致し、かつ、両方のスマートフォン４の個体識別番号が一致し、さらに、両方の入日時が一致した場合に、基点である治療院から、一致したＩＤを有するビーコン３の設置位置までの距離を算出する。
【００９２】
このとき、例えば地図情報に基づいて、治療院からビーコン３の設置位置までの距離を算出する。
【００９３】
そして、サーバ２の料金算出部１４は、距離算出部１３が算出した距離に基づいて料金すなわち往療費を算出する。
【００９４】
また、サーバ２の患者情報送信部１５は、照合部１０が照合して両方のビーコンのＩＤが一致し、かつ、両方のスマートフォンの個体識別番号が一致し、さらに、両方の入日時が一致した場合に、ビーコン識別情報データベース６が記録した設置値情報に含まれる、ビーコン３の設置者である患者の情報を、一致した個体識別番号を有するスマートフォン４にインターネット１６を介して送信する。
【００９５】
従って、スマートフォン４を携帯する施術者２０は、患者宅５において患者の情報例えば患者の治療経過を知ることができる。
【００９６】
また、サーバ２は、サーバ２の実績データベース１１が記録した情報などサーバ２が有する各種情報を、官公庁が定めた様式で、紙媒体に出力する。
このようにして出力された物は、例えば経過報告書、日報、施術履歴報告書、訪問実績表である。
【００９７】
次に、図２を参照して、本発明の行動管理システムを利用したときの流れの他の例を説明する。
【００９８】
病院１９の看護師は、病院１９の例えば受付け台に設置したビーコン３のＩＤを、ビーコン３の設置位置情報すなわち病院１９の住所、病院名などと関連付けてサーバ２に入力する。
【００９９】
すると、ビーコン識別情報データベース６は、ビーコン３のＩＤを、ビーコン３の設置位置情報と関連付けて記録する。
【０１００】
また、病院１９の看護師は、ビーコン３の設置位置である病院１９への患者２１の移動予定すなわち外来予定を、患者２１が携帯するスマートフォン４の個体識別番号と関連付けてサーバ２に入力する。
【０１０１】
また、病院１９の看護師は、患者２１の氏名と治療情報などを含む患者２１のカルテ情報、患者２１が携帯するスマートフォン４の電話番号およびメールアドレスを、サーバ２に入力する。
【０１０２】
また、病院１９の看護師は、移動予定に含まれる情報として、患者２１が外来のために病院１９を訪れる年月日と、患者２１が病院１９を訪れる時刻と、患者２１が病院１９から出る時刻とをサーバ２に入力する。
【０１０３】
なお、複数の患者がいれば、患者ごとに病院を訪れる年月日と、病院を訪れる時刻と、病院を出る時刻とをサーバ２に入力することは勿論である。
【０１０４】
そして、移動予定データベース９は、スマートフォン４の個体識別番号を、病院１９への患者２１の移動予定と関連付けて記録する。
【０１０５】
また、移動予定データベース９は、患者２１の移動予定に含まれる情報として、患者２１が外来のために病院１９を訪れる年月日と、患者２１が病院１９を訪れる時刻と、患者２１が病院１９から出る時刻を記録する。
【０１０６】
また、移動予定データベース９は、患者２１の移動予定に含まれる情報として、患者２１の氏名、患者２１が携帯するスマートフォン４の電話番号およびメールアドレスも記録する。
【０１０７】
また、サーバ２の携帯者情報データベース１７は、例えば、患者２１の氏名と治療情報などを含む患者２１のカルテ情報、患者２１が携帯するスマートフォン４の電話番号およびメールアドレスを記録する。
【０１０８】
一方、スマートフォン４を携帯する患者２１は、決められた外来予定の日に、病院１９に向かう。
【０１０９】
なお、ビーコン３から所定の範囲を、ビーコン３から半径約４０ｍの範囲であるように、スマートフォン４を使って患者２１が予め設定しておく。
また、患者２１は、このような設定をするための専用のアプリケーションプログラムをスマートフォン４に予めインストールしておく。
【０１１０】
そして、患者２１が病院１９に近づいて、病院１９の受付け台に設置されたビーコン３から半径約４０ｍの範囲内に位置する、すなわち、患者２１が携帯するスマートフォン４がビーコン３から半径約４０ｍの範囲に位置する。
【０１１１】
すると、スマートフォン４がビーコン３のＩＤを受信し、スマートフォン４は、受信したビーコン３のＩＤとスマートフォン４の個体識別番号とをサーバ２へ、インターネット１６を介して送信する。
【０１１２】
また、患者２１が、ビーコン３から半径約４０ｍの範囲外から半径約４０ｍの範囲内に入ったとき、すなわちスマートフォン４の位置が、ビーコン３から半径約４０ｍの範囲外から半径約４０ｍの範囲内に変化したときの日時である入日時を、スマートフォン４は、インターネット１６を介してサーバ２へ送信する。
【０１１３】
ここで、病院の受付から病院の敷地の境界までの距離を想定して約４０ｍと設定しているので、病院の敷地内に入ったおおよその時間が判る。
なお、この距離は、病院の敷地の広さに合わせて適宜設定することが好ましい。
【０１１４】
一方、サーバ２の識別情報受信部７は、スマートフォン４から送信された、ビーコン３のＩＤとスマートフォン４の個体識別番号とを受信する。
また、サーバ２の日時受信部８は、スマートフォン４から送信された、患者２１の入日時を受信する。
【０１１５】
次に、サーバ２の照合部１０は、識別情報受信部７が受信したビーコン３のＩＤと、ビーコン識別情報データベース６が記録したビーコン３のＩＤとを照合する。
【０１１６】
このとき、サーバ２の照合部１０は、識別情報受信部７が受信したスマートフォン４の個体識別番号と、移動予定データベース９が記録したスマートフォン４の個体識別番号とを照合する。
【０１１７】
また、このとき、サーバ２の照合部１０は、日時受信部８が受信した入日時と、移動予定データベース９が記録した移動予定に含まれる入日時とを照合する。
【０１１８】
そして、サーバ２の実績データベース１１は、照合部１０が照合して両方のビーコン３のＩＤが一致し、かつ、両方のスマートフォン４の個体識別番号が一致し、さらに、両方の入日時が一致した場合に、移動予定データベース９が記録した、一致した個体識別番号を有するスマートフォン４を携帯する患者２１についての移動予定が実行されたことを記録する。
【０１１９】
従って、病院の医師や看護師は、患者が予定どおり外来のために病院を訪れたことを確認できる。
【０１２０】
また、病院１９における診療が終わり、患者２１が、ビーコン３から半径約４０ｍの範囲内から半径約４０ｍの範囲外に出たとき、すなわちスマートフォン４の位置が、ビーコン３から半径約４０ｍの範囲内から半径約４０ｍの範囲外に変化したときの日時である出日時を、スマートフォン４は、インターネット１６を介してサーバ２へ送信する。
【０１２１】
また、サーバ２の日時受信部８は、スマートフォン４から送信された、患者２１の出日時を受信する。
【０１２２】
なお、出日時の一致については、そのときの病院内の外来の状況などにも依存するので、移動予定の実行を記録するための条件に必ずしもしなくてもよいが、出日時の一致も移動予定の実行を記録するための条件としてもよいことは勿論である。
【０１２３】
また、サーバ２の携帯者情報出力部１８は、識別情報受信部７が、スマートフォン４から送信された、ビーコン３のＩＤとスマートフォン４の個体識別番号とを受信すると、携帯者情報データベース１７が記録した、これら情報を送信したスマートフォン４の携帯者すなわち患者２１の情報例えばカルテ情報を出力する。
【０１２４】
具体的には例えば、病院１９に設置されたプリンターに患者２１の情報を出力して、プリンターが患者２１の情報を紙媒体に印刷するか、あるいは病院１９に設置されたディスプレイに患者２１の情報を出力して表示させる。
【０１２５】
このようにサーバ２の携帯者情報出力部１８が、患者２１の情報を出力することで、患者２１が、病院１９の受付け台に設置されたビーコン３近辺に来る前に、病院１９の事務員は患者２１の情報例えばカルテ情報を準備できる。
【０１２６】
また、サーバ２の通知部１２は、照合部１０が照合して両方の入日時が不一致である場合か、または、照合部１０が照合して両方のビーコンのＩＤが不一致である場合に、患者２１の移動予定と異なることを、その患者２１のスマートフォン４に電子メールで通知する。
【０１２７】
また、図１および図２で示した例以外にも、本発明の行動管理システムを利用して自由に、管理対象となる、携帯端末の携帯者を設定して、その携帯者の行動を管理することができる。
【０１２８】
以上のように、本発明の行動管理システムのサーバは、無線通信機器識別情報記録部が記録した無線通信機器識別情報を有する無線通信機器の設置位置への携帯端末の携帯者の移動予定を、この携帯端末の携帯端末識別情報と関連付けて記録可能な移動予定記録部を有しているので、携帯端末の携帯者の移動予定を把握することができる。
【０１２９】
また、本発明の行動管理システムのサーバは、識別情報受信部が受信した無線通信機器識別情報と、無線通信機器識別情報記録部が記録した無線通信機器識別情報とを照合可能であり、かつ、識別情報受信部が受信した携帯端末識別情報と、移動予定記録部が記録した携帯端末識別情報とを照合可能であり、さらに、日時受信部が受信した入日時と、移動予定記録部が記録した移動予定に含まれる入日時とを照合可能な照合部を有するので、移動予定記録部が記録した移動予定に従って、携帯端末の携帯者が行動したか否かを確認できる。
【０１３０】
従って、本発明の行動管理システムは、精度よく携帯端末の携帯者の行動を管理することができる。
【符号の説明】
【０１３１】
１    行動管理システム
２    サーバ
３    ビーコン
４    スマートフォン
５    患者宅
６    ビーコン識別情報データベース
７    識別情報受信部
８    日時受信部
９    移動予定データベース
１０    照合部
１１    実績データベース
１２    通知部
１３    距離算出部
１４    料金算出部
１５    患者情報送信部
１６    インターネット
１７    携帯者情報データベース
１８    携帯者情報出力部
１９    病院
２０    施術者
２１    患者
【図１】
0006327987.tif 000002
【図２】
0006327987.tif 000003